(57)【要約】【課題】太陽電池モジュールを、緩傾斜の屋根等のような傾斜の緩やかな場所に設置した場合に、太陽電池モジュールの表面を流れる水が、太陽電池モジュールの表面に滞留するのを防止することが可能な太陽電池モジュールを提供する。【解決手段】太陽電池パネル９の主辺に沿って形成された主保持壁２１、該主保持壁２１の上端及び下端から内側に向かって張設され、相互間に太陽電池パネル９の端縁部を嵌入して保持する主保持上片２２、及び、主保持下片２３で構成される主保持部２０ａと、該主保持部２０ａの下に下方に向かって連設された主壁部３０ａとで構成される主枠部材１１ａを備えると共に、主保持部２０ａの主保持壁２１の上端から外側下方に傾斜するようにして張設された主庇片２４を備えて、太陽電池モジュール１ａを構成する。【選択図】図５
2009164434.tif 000002
【特許請求の範囲】
【請求項１】
太陽電池パネルの相対向する一対の主辺を保持する一対の主枠部材を少なくとも備えると共に、前記主枠部材の一方が下方に位置するようにして傾斜させて設置される太陽電池モジュールであって、
前記主枠部材は、前記太陽電池パネルの主辺に沿って形成された主保持壁、該主保持壁の上端及び下端から内側に向かって張設され、相互間に前記太陽電池パネルの主辺の端縁部を嵌入して保持する主保持上片、及び、主保持下片で構成される主保持部と、該主保持部の下に下方に向かって連設された主壁部と、を備えており、
少なくとも、下方に位置する前記一方の主枠部材に、前記主保持部の主保持壁の上端から外側下方に傾斜するようにして張設されると共に、上面が前記主保持上片の上面と連通している主庇片を備えていることを特徴とする太陽電池モジュール。
【請求項２】
請求項１記載の太陽電池モジュールであって、
双方の前記主枠部材に、前記主庇片を備えている太陽電池モジュール。
【請求項３】
請求項２記載の太陽電池モジュールであって、
複数の前記太陽電池モジュールは、該太陽電池モジュールの主枠部材の主庇片の先端が近接するようにして隣接して設置されると共に、隣接する前記太陽電池モジュールの主枠部材の主庇片の先端同士の間に、隙間が形成されるようにして設置される太陽電池モジュール。
【請求項４】
太陽電池パネルの相対向する一対の主辺を保持する一対の主枠部材を少なくとも備えると共に、前記主枠部材の一方が下方に位置するようにして傾斜させて設置される太陽電池モジュールであって、
前記主枠部材は、前記太陽電池パネルの主辺に沿って形成された主保持壁、該主保持壁の上端及び下端から内側に向かって張設され、相互間に前記太陽電池パネルの主辺の端縁部を嵌入して保持する主保持上片、及び、主保持下片で構成される主保持部と、該主保持部の下に下方に向かって連設された主壁部と、を備えており、
少なくとも、下方に位置する前記一方の主枠部材における主保持上片の基端の上面は、外側下方に向かって傾斜していることを特徴とする太陽電池モジュール。
【請求項５】
請求項４記載の太陽電池モジュールであって、
双方の前記主枠部材における主保持上片の基端の上面は、外側下方に向かって傾斜している太陽電池モジュール。
【請求項６】
請求項５記載の太陽電池モジュールであって、
複数の前記太陽電池モジュールは、該太陽電池モジュールの主枠部材が近接するようにして隣接して設置されると共に、隣接する前記太陽電池モジュールの主枠部材同士の間に、隙間が形成されるようにして設置される太陽電池モジュール。
【請求項７】
請求項１〜６のいずれか１項に記載の太陽電池モジュールであって、
前記主枠部材における主保持上片の内側先端の上面は、内側下方に向かって傾斜している太陽電池モジュール。
【請求項８】
請求項１〜７のいずれか１項に記載の太陽電池モジュールであって、
前記主枠部材は、該主枠部材の主保持部の側端面、及び、該主保持部に嵌入された前記太陽電池パネルの端縁部の側端面を覆う主枠側板を備えている太陽電池モジュール。
【請求項９】
請求項１〜７のいずれか１項に記載の太陽電池モジュールであって、
前記太陽電池パネルの主辺と隣接する一対の隣接辺を保持する一対の副枠部材を備えており、
前記副枠部材は、前記太陽電池パネルの前記隣接辺に沿って形成された副保持壁、該副保持壁の上端及び下端から内側に向かって張設され、相互間に前記太陽電池パネルの前記隣接辺の端縁部を嵌入して保持する副保持上片、及び、副保持下片で構成される副保持部と、該副保持部の下に下方に向かって連設された副壁部と、を備えており、
少なくとも、一方の前記副枠部材に、前記副保持部の副保持壁の上端から外側下方に傾斜するようにして張設されると共に、上面が前記副保持上片の上面と連通している副庇片を備えている太陽電池モジュール。
【請求項１０】
請求項９記載の太陽電池モジュールであって、
双方の前記副枠部材に、前記副庇片を備えている太陽電池モジュール。
【請求項１１】
請求項１０記載の太陽電池モジュールであって、
複数の前記太陽電池モジュールが、該太陽電池モジュールの副枠部材の副庇片の先端が近接するようにして、隣接して設置されると共に、隣接する前記太陽電池モジュールの副枠部材の副庇片の先端同士の間に隙間が形成されるようにして設置される太陽電池モジュール。
【請求項１２】
請求項１〜７のいずれか１項に記載の太陽電池モジュールであって、
前記太陽電池パネルの主辺と隣接する一対の隣接辺を保持する一対の副枠部材を備えており、
前記副枠部材は、前記太陽電池パネルの前記隣接辺に沿って形成された副保持壁、該副保持壁の上端及び下端から内側に向かって張設され、相互間に前記太陽電池パネルの前記隣接辺の端縁部を嵌入して保持する副保持上片、及び、副保持下片で構成される副保持部と、該副保持部の下に下方に向かって連設された副壁部と、を備えており、
少なくとも、一方の副枠部材における副保持上片の基端の上面は、外側下方に向かって傾斜していることを特徴とする太陽電池モジュール。
【請求項１３】
請求項１２記載の太陽電池モジュールであって、
双方の前記副枠部材における副保持上片の基端の上面は、外側下方に向かって傾斜している太陽電池モジュール。
【請求項１４】
請求項１３記載の太陽電池モジュールであって、
複数の前記太陽電池モジュールは、該太陽電池モジュールの副枠部材が近接するようにして隣接して設置されると共に、隣接する前記太陽電池モジュールの副枠部材同士の間に、隙間が形成されるようにして設置される太陽電池モジュール。
【請求項１５】
請求項９〜１４のいずれか１項に記載の太陽電池モジュールであって、
前記副枠部材の副保持上片の内側先端の上面は、内側下方に向かって傾斜している太陽電池モジュール。
【発明の詳細な説明】
【技術分野】
【０００１】
本発明は、緩傾斜の屋根等の、傾斜が緩やかな場所に設置される太陽電池モジュールに関する。
【背景技術】
【０００２】
太陽電池モジュールは、一般的に、太陽電池パネルと、この太陽電池パネルを保持する枠部材とで構成されている。この太陽電池モジュールに使用される枠部材には、種々の構造のものが知られている。
【０００３】
このような枠部材を備えた太陽電池モジュールは、住宅等で使用される場合、太陽光を無駄なく使用できるようにするために、屋根等の傾斜した場所に設置される場合が多い。このように、太陽電池モジュールを傾斜させて設置した場合、降雨時等に、雨水が傾斜している太陽電池モジュールの表面を流れる。
【０００４】
そこで、これらの雨水が太陽電池モジュールの表面に滞留するのを防止するために、太陽電池モジュールの表面を流れる雨水等の水を、太陽電池モジュールの外へ流し去るようにするための工夫が、各種提案されている（例えば、特許文献１の図３参照）。
【０００５】
特許文献１に記載の太陽電池モジュール（太陽エネルギー変換装置）では、特許文献１の図３において、相互に隣接する上流側の太陽電池モジュールと下流側の太陽電池モジュールとが、傾斜させて設置される。そして、下流側の太陽電池モジュールの上フレーム（枠部材）３に樋部３３が設けられると共に、この樋部３３の上面を覆う耳部４２が、上流側の太陽電池モジュールの下フレーム（枠部材）４に設けられる。
【０００６】
そうすることで、太陽電池モジュールの表面を流れる水を、下フレーム４の耳部４２の先端から樋部３３に流れ込ませて、太陽電池モジュールの外へ流し去るようにしたものである。
【特許文献１】特開平１０−１６９１２７号公報
【発明の開示】
【発明が解決しようとする課題】
【０００７】
しかし、特許文献１に記載の太陽電池モジュールでは、太陽電池モジュールの下フレーム４の耳部４２は、太陽電池モジュールの太陽電池パネル７と平行に形成されているので、この太陽電池モジュールを緩傾斜の屋根等のような傾斜の緩やかな場所に設置した場合、太陽電池モジュールの表面を流れる水が、表面張力により、下フレーム４の耳部４２の表面に滞留しやすくなる。
【０００８】
そのため、この滞留した水が、太陽電池パネル７の表面にまで及んで、太陽電池パネル７の表面に大気中の塵等が付着して、太陽電池モジュールの発電効率が低下する原因となりやすい。
【０００９】
そこで、この発明は、このような状況を改善するためになされたものであって、太陽電池モジュールを、緩傾斜の屋根等のような傾斜の緩やかな場所に設置した場合に、太陽電池モジュールの表面を流れる水が、太陽電池モジュールの表面に滞留するのを防止することができると共に、太陽電池モジュールの発電効率の低下を抑制することが可能な太陽電池モジュールを提供しようとするものである。
【課題を解決するための手段】
【００１０】
本発明の太陽電池モジュールは、太陽電池パネルの相対向する一対の主辺を保持する一対の主枠部材を少なくとも備えると共に、主枠部材の一方が下方に位置するようにして緩やかに傾斜させて設置される太陽電池モジュールである。
【００１１】
この太陽電池モジュールでは、主枠部材は、主保持部と主壁部とを備えて構成されている。この内、主枠部材は、太陽電池パネルの主辺に沿って形成された主保持壁、該主保持壁の上端及び下端から内側に向かって張設され、相互間に太陽電池パネルの主辺の端縁部を嵌入して保持する主保持上片、及び、主保持下片で構成されている。又、主壁部は、上記の主保持部の下に下方に向かって連設されている。
【００１２】
この太陽電池モジュールは、主庇片を備えていることを特徴としている。この主庇片は、少なくとも、下方に位置する上記の一方の主枠部材に、主保持部の主保持壁の上端から外側下方に傾斜するようにして張設されると共に、上面が主保持上片の上面と連通している。
【００１３】
このような主庇片を備えることにより、この太陽電池モジュールを、緩傾斜の屋根等のような傾斜の緩やかな場所に設置した場合に、太陽電池モジュールの表面を流れる水を、一方の主枠部材の主保持壁の上端から外側下方に傾斜するようにして張設されている主庇片を伝って、下方へ流れ落ちるようにすることができる。
【００１４】
従って、太陽電池パネルの表面を流れる水が、太陽電池モジュールの表面に滞留するのを防止することができると共に、太陽電池モジュールの発電効率の低下を抑制することができる。
【００１５】
上記の太陽電池モジュールにおいて、双方の主枠部材に、上記の主庇片を備えるようにしてもよい。この場合は、複数の太陽電池モジュールを、該太陽電池モジュールの主枠部材の主庇片の先端が近接するようにして隣接して設置すると共に、隣接する太陽電池モジュールの主枠部材の主庇片の先端同士の間には、隙間が形成されるようにして設置するのが好ましい。
【００１６】
このようにすることにより、太陽電池モジュールの表面を流れる水を、双方の主庇片を伝って、この双方の主庇片の間に形成されている隙間から下方へ流れ落ちるようにすることができる。
【００１７】
従って、太陽電池パネルの表面を流れる水が、太陽電池モジュールの表面に滞留するのを防止することができると共に、太陽電池モジュールの発電効率の低下を抑制することができる。
【００１８】
上記の太陽電池モジュールでは、主枠部材は主庇片を備えているが、この主庇片を備える代わりに、主枠部材における主保持上片の基端の上面を、外側下方に向かって傾斜するようにしても良い。
【００１９】
つまり、この太陽電池モジュールは、次のような太陽電池モジュールである。即ち、太陽電池パネルの相対向する一対の主辺を保持する一対の主枠部材を少なくとも備えると共に、主枠部材の一方が下方に位置するようにして傾斜させて設置される太陽電池モジュールである。
【００２０】
この太陽電池モジュールでは、主枠部材は、主保持部と主壁部とを備えて構成されている。この内、主枠部材は、太陽電池パネルの主辺に沿って形成された主保持壁、該主保持壁の上端及び下端から内側に向かって張設され、相互間に太陽電池パネルの主辺の端縁部を嵌入して保持する主保持上片、及び、主保持下片で構成されている。又、主壁部は、上記の主保持部の下に下方に向かって連設されている。
【００２１】
この太陽電池モジュールは、少なくとも、下方に位置する一方の主枠部材における主保持上片の基端の上面が、上述したように、外側下方に向かって傾斜していることを特徴としている。
【００２２】
そこで、この太陽電池モジュールを、緩傾斜の屋根等のような傾斜の緩やかな場所に設置した場合に、太陽電池モジュールの表面を流れる水を、一方の主枠部材において、外側下方に傾斜するようにして張設されている主保持上片の基端の上面を伝って、下方へ流れ落ちるようにすることができる。
【００２３】
従って、太陽電池パネルの表面を流れる水が、太陽電池モジュールの表面に滞留するのを防止することができると共に、太陽電池モジュールの発電効率の低下を抑制することができる。
【００２４】
上記の太陽電池モジュールにおいて、双方の主枠部材における主保持上片の基端の上面が、外側下方に向かって傾斜するようにしても良い。この場合は、複数の太陽電池モジュールを、該太陽電池モジュールの主枠部材が近接するようにして隣接して設置すると共に、隣接する太陽電池モジュールの主枠部材同士の間に、隙間が形成されるようにして設置するのが好ましい。
【００２５】
このようにすることにより、太陽電池モジュールの表面を流れる水が、双方の主枠部材の主保持上片を伝って、この双方の主枠部材の主保持上片の間に形成されている隙間から、下方へ流れ落ちるようにすることができる。
【００２６】
従って、太陽電池パネルの表面を流れる水が、太陽電池モジュールの表面に滞留するのを防止することができると共に、太陽電池モジュールの発電効率の低下を抑制することができる。
【００２７】
又、上記の各太陽電池モジュールにおいて、主枠部材における主保持上片の内側先端の上面が、内側下方に向かって傾斜するようにして、太陽電池モジュールを構成するようにしてもよい。
【００２８】
このようにすることにより、太陽電池モジュールの太陽電池パネルの表面を流れる水が、主枠部材の主保持上片の上面に移動しやすくなることから、太陽電池パネルの表面を流れる水を、上記の主庇片、或いは、上記の主保持上片の基端縁へ導きやすくすることができる。
【００２９】
従って、太陽電池パネルの表面を流れる水が、太陽電池モジュールの表面に滞留するのを防止することができると共に、太陽電池モジュールの発電効率の低下を抑制することができる。
【００３０】
上記の太陽電池モジュールにおいて、主枠部材の主保持部の側端面、及び、該主保持部に嵌入された太陽電池パネルの端縁部の側端面を覆う主枠側板を、上記の主枠部材に備えるようにして、太陽電池モジュールを構成することができる。
【００３１】
このようにすることにより、上記の主枠部材のみで太陽電池パネルを保持する太陽電池モジュールを構成することができ、この太陽電池モジュールの製作コストの増加を抑制することができる。
【００３２】
従って、太陽電池パネルの表面を流れる水が、太陽電池モジュールの表面に滞留するのを防止することが可能な太陽電池モジュールを、製作コストの抑制を図りながら製作することができる。
【００３３】
又、上記の太陽電池モジュールにおいて、上記の主枠側板を用いるのに代えて、該太陽電池モジュールを、一対の副枠部材を備えるようにして構成することができる。この副枠部材は、上記の太陽電池モジュールにおける太陽電池パネルの主辺と隣接する一対の隣接辺を、保持するものである。
【００３４】
上記の副枠部材は、副保持部と副壁部とを備えて構成される。この内、副保持部は、太陽電池パネルの隣接辺に沿って形成された副保持壁、該副保持壁の上端及び下端から内側に向かって張設され、相互間に太陽電池パネルの隣接辺の端縁部を嵌入して保持する副保持上片、及び、副保持下片で構成される。又、副壁部は、上記の副保持部の下に下方に向かって連設される。
【００３５】
この太陽電池モジュールは、副庇片を備えていることを特徴としている。この副庇片は、少なくとも、一方の副枠部材に、副保持部の副保持壁の上端から外側下方に傾斜するようにして張設されると共に、上面が副保持上片の上面と連通している。
【００３６】
このような副庇片を備えることにより、この太陽電池モジュールを、緩傾斜の屋根等のような傾斜の緩やかな場所に設置した場合に、太陽電池モジュールの表面を流れる水を、主保持壁に張設されている主庇片のみならず、上記の副保持壁に張設されている副庇片を伝って、下方へ流れ落ちるようにすることができる。
【００３７】
従って、太陽電池パネルの表面を流れる水が、太陽電池モジュールの表面に滞留するのを防止することができると共に、太陽電池モジュールの発電効率の低下を抑制することができる。
【００３８】
上記の副枠部材を備えた太陽電池モジュールにおいて、双方の副枠部材に、上記の副庇片を備えるようにしてもよい。この場合に、複数の太陽電池モジュールを、該太陽電池モジュールの副枠部材の副庇片の先端が近接するようにして隣接して設置すると共に、隣接する太陽電池モジュールの副枠部材の副庇片の先端同士の間に、隙間が形成されるようにして設置するのが好ましい。
【００３９】
このようにすることにより、太陽電池モジュールの表面を流れる水が、上記の主庇片により下方へ流れ落ちるようにすることができるのみならず、双方の上記の副庇片を伝って、この双方の副庇片の間に形成されている隙間から、下方へ流れ落ちるようにすることができる。
【００４０】
従って、太陽電池パネルの表面を流れる水が、太陽電池モジュールの表面に滞留するのを防止することが、さらに増強できると共に、太陽電池モジュールの発電効率の低下を抑制することができる。
【００４１】
上記の太陽電池モジュールでは、副枠部材は副庇片を備えているが、この副庇片を備える代わりに、副枠部材における副保持上片の基端の上面を、外側下方に向かって傾斜するようにしても良い。
【００４２】
つまり、この太陽電池モジュールは、次のような太陽電池モジュールである。即ち、太陽電池パネルの相対向する主辺と隣接する一対の隣接辺を保持する一対の副枠部材を備えて設置される太陽電池モジュールである。
【００４３】
この太陽電池モジュールでは、副枠部材は、副保持部と副壁部とを備えて構成されている。この内、副枠部材は、太陽電池パネルの隣接辺に沿って形成された副保持壁、該副保持壁の上端及び下端から内側に向かって張設され、相互間に太陽電池パネルの隣接辺の端縁部を嵌入して保持する副保持上片、及び、副保持下片で構成されている。又、副壁部は、上記の副保持部の下に下方に向かって連設されている。
【００４４】
この太陽電池モジュールは、少なくとも、下方に位置する一方の副枠部材における副保持上片の基端の上面が、上述したように、外側下方に向かって傾斜していることを特徴としている。
【００４５】
そこで、この太陽電池モジュールを、緩傾斜の屋根等のような傾斜の緩やかな場所に設置した場合に、太陽電池モジュールの表面を流れる水を、一方の副枠部材において、外側下方に傾斜するようにして張設されている副保持上片の基端の上面を伝って、下方へ流れ落ちるようにすることができる。
【００４６】
従って、太陽電池パネルの表面を流れる水が、太陽電池モジュールの表面に滞留するのを防止することができると共に、太陽電池モジュールの発電効率の低下を抑制することができる。
【００４７】
上記の太陽電池モジュールにおいて、双方の副枠部材における副保持上片の基端の上面が、外側下方に向かって傾斜するようにしても良い。この場合は、複数の太陽電池モジュールを、該太陽電池モジュールの副枠部材が近接するようにして隣接して設置すると共に、隣接する太陽電池モジュールの副枠部材同士の間に、隙間が形成されるようにして設置するのが好ましい。
【００４８】
このようにすることにより、太陽電池モジュールの表面を流れる水が、双方の副枠部材の副保持上片を伝って、この双方の副枠部材の副保持上片の間に形成されている隙間から、下方へ流れ落ちるようにすることができる。
【００４９】
従って、太陽電池パネルの表面を流れる水が、太陽電池モジュールの表面に滞留するのを防止することができると共に、太陽電池モジュールの発電効率の低下を抑制することができる。
【００５０】
上記の副枠部材を備えた太陽電池モジュールにおいて、副枠部材における副保持上片の内側先端の上面が、内側下方に向かって傾斜するようにして、太陽電池モジュールを構成するようにしてもよい。このようにすることにより、太陽電池モジュールの太陽電池パネルの表面を流れる水が、副枠部材の副保持上片の上面に移動しやすくなることから、太陽電池パネルの表面を流れる水を、上記の副庇片、或いは、上記の副保持上片の基端縁へ導きやすくすることができる。
【００５１】
従って、太陽電池パネルの表面を流れる水が、太陽電池モジュールの表面に滞留するのを防止することができると共に、太陽電池モジュールの発電効率の低下を抑制することができる。
【発明の効果】
【００５２】
本発明によれば、太陽電池モジュールは、少なくとも、下方に位置する上記の一方の主枠部材に、主保持部の主保持壁の上端から外側下方に傾斜するようにして張設されると共に、上面が主保持上片の上面と連通している主庇片を備えている。或いは、少なくとも、下方に位置する一方の主枠部材における主保持上片の基端の上面が、上述したように、外側下方に向かって傾斜している。
【００５３】
そのため、この太陽電池モジュールを、緩傾斜の屋根等のような傾斜の緩やかな場所に設置した場合に、太陽電池モジュールの表面を流れる水を、一方の主枠部材の主保持壁の上端から外側下方に傾斜するようにして張設されている主庇片を伝って、或いは、外側下方に傾斜するようにして張設されている主保持上片の基端の上面を伝って、下方へ流れ落ちるようにすることができる。
【００５４】
従って、太陽電池パネルの表面を流れる水が、太陽電池モジュールの表面に滞留するのを防止することができると共に、太陽電池モジュールの発電効率の低下を抑制することができる。
【００５５】
又、太陽電池モジュールの双方の主枠部材に、上記の主庇片を備えるようにすることができる。この場合は、複数の太陽電池モジュールを、該太陽電池モジュールの主枠部材の主庇片の先端が近接するようにして隣接して設置すると共に、隣接する太陽電池モジュールの主枠部材の主庇片の先端同士の間には、隙間が形成されるようにして設置することができる。
【００５６】
或いは、太陽電池モジュールの双方の主枠部材における主保持上片の基端の上面が、外側下方に向かって傾斜するようにすることができる。この場合は、複数の太陽電池モジュールを、該太陽電池モジュールの主枠部材が近接するようにして隣接して設置すると共に、隣接する太陽電池モジュールの主枠部材同士の間に、隙間が形成されるようにして設置することができる。
【００５７】
そのため、太陽電池モジュールの表面を流れる水が、双方の主庇片を伝って、この双方の主庇片の間に形成されている隙間から下方へ流れ落ちるようにすることができる。或いは、太陽電池モジュールの表面を流れる水が、双方の主枠部材の主保持上片を伝って、この双方の主枠部材の主保持上片の間に形成されている隙間から、下方へ流れ落ちるようにすることができる。
【００５８】
従って、太陽電池パネルの表面を流れる水が、太陽電池モジュールの表面に滞留するのを防止することができると共に、太陽電池モジュールの発電効率の低下を抑制することができる。
【００５９】
又、太陽電池モジュールの主枠部材における主保持上片の内側先端の上面が、内側下方に向かって傾斜するようにして、太陽電池モジュールを構成することができる。
【００６０】
そのため、太陽電池モジュールの太陽電池パネルの表面を流れる水が、主枠部材の主保持上片の上面に移動しやすくなることから、太陽電池パネルの表面を流れる水を、上記の主庇片、或いは、上記の主保持上片の基端縁へ導きやすくすることができる。
【００６１】
従って、太陽電池パネルの表面を流れる水が、太陽電池モジュールの表面に滞留するのを防止することができると共に、太陽電池モジュールの発電効率の低下を抑制することができる。
【発明を実施するための最良の形態】
【００６２】
次に、本発明の実施の形態における太陽電池モジュールについて、図面を参照しながら説明する。本実施の形態における説明では、実施の形態１〜実施の形態５の５種類の実施の形態における太陽電池ジュールについて説明する。
【００６３】
＜実施の形態１＞
図１は、実施の形態１における太陽電池モジュール１ａの平面図、図２は正面図、図３は右側面図、図４は角部分の斜視図、そして、図５は角部分の分解斜視図である。尚、図４では、太陽電池パネル９が省略されている。又、図４、及び、図５では、太陽電池モジュール１ａが、水平面６に対して、傾斜角度７で傾斜していることを表している。
【００６４】
即ち、実施の形態１における太陽電池モジュール１ａは、上記の傾斜角度７が、水の流れが表面張力で止まるような角度、具体的には、表面状態により差はあるが、０度〜４５度、望ましくは、０度〜３０度で傾斜した状態の屋根等の場所に、これらの屋根の傾斜に沿って、後述する１対の主枠部材１１ａ，１１ａの一方が下方に位置するようにして設置される。
【００６５】
この実施の形態１における太陽電池モジュール１ａは、次のような構造をしている。図１〜図５において、太陽電池パネル９は、長辺（前述の主片に相当）と短辺（前述の主片の隣接辺に相当）とを備えた矩形状であり、この太陽電池パネル９の長辺を保持する１対の主枠部材１１ａ，１１ａと、この長辺と隣接する隣接辺である短辺を保持する１対の副枠部材１２ｃ，１２ｃとを用いて、太陽電池パネル９を内側に囲むように保持している。
【００６６】
上記の主枠部材１１ａは、主保持部２０ａと主壁部３０ａとで構成されている。主保持部２０ａは、主保持壁２１、主保持上片２２、主保持下片２３、及び、主庇片２４で構成されている。主保持壁２１は、太陽電池パネル９の長辺に沿って形成されている。主保持上片２２、及び、主保持下片２３は、上記の主保持壁２１の上端と下端から、共に、例えば、略同じ長さで平行に張出して形成されている。
【００６７】
これらの主保持壁２１、主保持上片２２、及び、主保持下片２３により構成される断面が、例えば、コの字形をした部分に、太陽電池パネル９の長辺の端縁部が嵌入されて保持されている。
【００６８】
主庇片２４は、前記主保持部２０ａの主保持壁２１の上端から、外側下方に直線的に傾斜するようにして張設されている。この主庇片２４は、この主庇片２４の上面と主保持上片２２の上面とが連通するように形成されており、主庇片２４の上面と主保持上片２２の上面とのなす角度は、この主庇片２４が無い場合に水の流れが表面張力で止まるような状態のときに表面張力より重力が勝るような角度、具体的には、表面状態により差はあるが、比較的傾斜角度の小さい陸屋根や折半屋根から傾斜角度の大きい家屋の屋根の上に載置する場合においては、１度〜６０度、緩傾斜の屋根等のような傾斜の緩やかな場所等では、５度〜３０度となるように形成されるのが好ましい。
【００６９】
又、主保持部２０ａの主保持上片２２の内側の先端部の上面である上片先端面２２ａは、内側下方に向かって傾斜している。又、主保持下片２３の下面には、螺子係止片２３ａが設けられている。
【００７０】
主壁部３０ａは、主保持部２０ａの下に、下方に向かって連設されており、主外壁３１と主底部片３２とで構成されている。主外壁３１は、主保持部２０ａの主保持壁２１と連なるように形成されている。又、主底部片３２は、例えば、主外壁３１の下端から内側に向かって平行に張設されている。この主底部片３２の上面には、主外壁３１寄りの位置に、螺子係止片３２ａが設けられている。
【００７１】
本実施の形態では、主壁部３０ａは、主外壁３１と主底部片３２とで構成されているが、主壁部３０ａの構成はこれには限られず、モジュールの設置形態や固定方法等によっては、上記以外の構成による場合もある。
【００７２】
上記の太陽電池モジュール１ａを構成する副枠部材１２ｃは、副保持部４０ｂと副壁部５０ａとで構成されている。副保持部４０ｂは、副保持壁４１、副保持上片４２、及び、副保持下片４３で構成されている。副保持壁４１は、太陽電池パネル９の短辺に沿って形成されている。又、副保持上片４２、及び、副保持下片４３は、上記の副保持壁４１の上端と下端から、共に、例えば、略同じ長さで平行に張出して形成されている。
【００７３】
これらの副保持壁４１、副保持上片４２、及び、副保持下片４３により構成される断面がコの字形をした部分に、太陽電池パネル９の短辺の端縁部が嵌入されて保持されている。又、副保持部４０ｂの主保持上片４２の内側の先端部の上面である上片先端面４２ａは、内側下方に向かって傾斜している。
【００７４】
副壁部５０ａは、副外壁５１と副底部片５２とで構成されている。又、副枠部材１２ｃには、図５に示すように、その両端に、副保持壁４１と副外壁５１とでなる当接壁１３が形成されると共に、副底部片３２の両端は、切除されて切欠部が形成されている。
【００７５】
上記の太陽電池モジュール１ａは、図５に示すように、主枠部材１１ａの側端面を、副枠部材１２ｃの当接壁１３に当接させると共に、主枠部材１１ａの主底部片３２を、副底部片３２の切欠部に嵌め込んで、当接壁１３の螺子孔５４，５４と、螺子係止片２３ａ、及び、螺子係止片３２ａとを、螺子を用いて結合することにより、形成されている。
【００７６】
上記の太陽電池モジュール１ａにおける主枠部材１１ａと副枠部材１２ｃとの結合方法としては、上記以外の結合方法を用いることもできる。
【００７７】
図６は、上記の太陽電池モジュール１ａの長辺同士が、斜め上下方向に隣接するようにして複数設置される場合を示したものである。この場合、太陽電池モジュール１ａが、緩やかに傾斜した屋根等の設置面８に、１対の主枠部材１１ａ，１１ａの一方が下方に位置するようにして設置される。
【００７８】
又、隣接する太陽電池モジュール１ａの主枠部材１１ａの主庇片２４の先端同士が、近接するようにして設置する。又、隣接する太陽電池モジュール１ａの主枠部材１１ａの主庇片２４の先端同士の間に隙間が形成されるようにして、太陽電池モジュール１ａを設置する。
【００７９】
上記の太陽電池モジュール１ａによれば、この太陽電池モジュール１ａが主庇片２４を備えているので、この太陽電池モジュール１ａを、緩傾斜の屋根等のような傾斜の緩やかな場所に設置した場合に、太陽電池モジュール１ａの表面を流れる水が、下方に位置する一方の主枠部材１１ａの主保持部２０ａの主庇片２４を伝って、下方へ流れ落ちるようにすることができる。
【００８０】
又、斜め上下方向に隣接して設置された太陽電池モジュール１ａにおいて、主枠部材１１ａにおける主保持部２０ａの主庇片２４の先端同士の間には、隙間が形成される。そのため、太陽電池モジュール１ａの表面を流れる水が、双方の主庇片２４を伝って、この双方の主庇片２４の間に形成されている隙間から下方へ流れ落ちるようにすることができる。
【００８１】
又、主枠部材１１ａの主保持部２０ａにおける主保持上片２２の上片先端面２２ａが、内側下方に向かって傾斜している。そのため、太陽電池モジュール１ａの太陽電池パネル９の表面を流れる水が、主枠部材１１ａにおける主保持部２０ａの主保持上片２２の上面に移動しやすくなることから、太陽電池パネル９の表面を流れる水を、主庇片２４に導きやすくすることができる。
【００８２】
従って、太陽電池パネル９の表面を流れる水が、太陽電池モジュール１ａの表面に滞留するのを防止することができると共に、太陽電池モジュール１ａの発電効率の低下を抑制することができる。
【００８３】
上記の太陽電池モジュール１ａでは、主枠部材１１ａを用いているが、この主枠部材１１ａに代えて、断面が、図７に示すような主枠部材１１ｄを用いるようにしてもよい。この主枠部材１１ｄは、主保持部２０ａと主壁部３０ｃとで構成されている。又、主枠部材１１ｄには、主壁部３０ｃの主外壁３１に、先端が外側上方向きの鉤片１４が張設されている。
【００８４】
この鉤片１４を備えた主枠部材１１ｄを用いることにより、複数の太陽電池モジュール１ａが隣接して設置される場合に、隣接する太陽電池モジュール１ａの鉤片１４の外側面同士を対向させて、設置用の固定用補助具等を用いて固定することにより、上述した主庇片２４同士間の隙間を形成しやすくすることができる。
【００８５】
この場合、予め主保持壁２１からの主庇片２４の張出し量を、主外壁３１からの鉤片１４の張出し量より少なくして、対向する鉤片１４の外側面同士をつき合わせるようにしてもよい。或いは、主保持壁２１からの主庇片２４の張出し量と主外壁３１からの鉤片１４の張出し量を同等にして、対向する鉤片１４の外側面の間に固定用補助具を介在させて、主庇片２４同士間の隙間を形成するようにしてもよい。
【００８６】
又、上記の太陽電池モジュール１ａにおける主枠部材１１ａに代えて、図８、図９に示すような主枠部材１１ｂを用いた太陽電池モジュール１ｂを構成するようにしてもよい。ここで、図８は、太陽電池モジュール１ｂの角部分の斜視図、図９は、太陽電池モジュール１ｂの角部分の分解斜視図である。
【００８７】
上記の太陽電池モジュール１ｂにおける主枠部材１１ｂが、上記の太陽電池モジュール１ａにおける主枠部材１１ａと異なるのは、主枠部材１１ａの主壁部３０ａが、主外壁３１、及び、主底部片３２で構成されているのに対して、主枠部材１１ｂの主壁部３０ｂは、主外壁３１、主底部片３２、及び、主内壁３３で構成されている点である。その他の点は、主枠部材１１ａと同じである。
【００８８】
又、上記の太陽電池モジュール１ｂにおける副枠部材１２ｃに代えて、図１０、図１１に示すような副枠部材１２ｄを用いた太陽電池モジュール１ｃを構成するようにしてもよい。ここで、図１０は、太陽電池モジュール１ｃの角部分の斜視図、図１１は、太陽電池モジュール１ｃの角部分の分解斜視図である。
【００８９】
上記の太陽電池モジュール１ｃにおける副枠部材１２ｄが、上記の太陽電池モジュール１ｂにおける副枠部材１２ｃと異なるのは、副枠部材１２ｃの副壁部５０ａが、副外壁５１、及び、副底部片５２で構成されているのに対して、副枠部材１２ｄの副壁部５０ｂは、主外壁５１、主底部片５２、及び、主内壁５３で構成されている点である。その他の点は、副枠部材１２ｃと同じである。
【００９０】
＜実施の形態２＞
実施の形態２における太陽電池モジュール２ａは、上述した実施の形態１における太陽電池モジュール１ａを一部変更したものである。図１２は、実施の形態２における太陽電池モジュール２ａの平面図、図１３は正面図、そして、図１４は右側面図である。
【００９１】
実施の形態２における太陽電池モジュール２ａが、実施の形態１における太陽電池モジュール１ａと異なるのは、実施の形態１における太陽電池モジュール１ａでは、主庇片２４が、１対の主枠部材１１ａ，１１ａの双方の主保持部２０ａに備えられているのに対して、実施の形態２における太陽電池モジュール２ａでは、主庇片２４が、１対の主枠部材１１ａ，１１ｃの内の一方である主枠部材１１ａの主保持部２０ａのみに備えられている点である。その他の点は、実施の形態１における太陽電池モジュール１ａと同じである。
【００９２】
即ち、主枠部材１１ｃは、主保持部２０ｂと主壁部３０ａとで構成され、主保持部２０ｂは、主保持壁２１、主保持上片２２、及び、主保持下片２３で構成され、主庇片２４は、主保持部２０ｂには用いられていない。
【００９３】
図１５は、上記の太陽電池モジュール２ａが斜め上下方向に隣接させて複数設置される場合を示したものである。この場合、上記の陽電池モジュール１ａと同様、太陽電池モジュール２ａが、緩やかに傾斜した屋根等の設置面８に設置される。この場合、１対の主枠部材１１ａ，１１ｃの内、主枠部材１１ａが下方に位置するようにして設置される。
【００９４】
又、太陽電池モジュール２ａの主枠部材１１ａの主庇片２４の先端は、隣接する太陽電池モジュール２ａの主枠部材１１ｃに近接するようにして設置する。又、太陽電池モジュール２ａの主枠部材１１ａの主庇片２４の先端と、隣接する太陽電池モジュール２ａの主枠部材１１ｃの間に、隙間が形成されるようにして設置する。
【００９５】
上記の実施の形態２における太陽電池モジュール２ａにおいても、上述した実施の形態１における太陽電池モジュール１ａと略同様の作用、効果を奏することができる。又、上記の実施の形態１における太陽電池モジュール１ａにおいて説明した各種の対処とほぼ同じ対処を、上記の実施の形態２における太陽電池モジュール２ａに対しても、行うことができる。
【００９６】
＜実施の形態３＞
実施の形態３における太陽電池モジュール３ａは、上述した実施の形態１における太陽電池モジュール１ａを一部変更したものである。図１６は、実施の形態３における太陽電池モジュール３ａの平面図、図１７は正面図、図１８は右側面図、図１９は角部分の斜視図、そして、図２０は角部分の分解斜視図である。尚、図１９では、太陽電池パネル９が省略されている。又、図１９、及び、図２０では、太陽電池モジュール３ａが、水平面６に対して、傾斜角度７で傾斜していることを表している。
【００９７】
即ち、実施の形態３における太陽電池モジュール３ａは、実施の形態１における太陽電池モジュール１ａと同様、上記の傾斜角度７が、水の流れが表面張力で止まるような角度、具体的には、表面状態により差はあるが、０度〜４５度、望ましくは、０度〜３０度で傾斜した状態の屋根等の場所に、これらの屋根の傾斜に沿って、１対の主枠部材１１ａ，１１ａの一方が下方に位置するようにして設置される。
【００９８】
即ち、実施の形態３における太陽電池モジュール３ａは、実施の形態１における太陽電池モジュール１ａと同様、上記の傾斜角度７が、３度〜１０度程度の緩やかに傾斜した屋根等の場所に、これらの屋根の傾斜に沿って、１対の主枠部材１１ａ，１１ａの一方が下方に位置するようにして設置される。
【００９９】
実施の形態３における太陽電池モジュール３ａが、実施の形態１における太陽電池モジュール１ａと異なるのは、実施の形態１における太陽電池モジュール１ａの副枠部材１２ｃに代えて、副枠部材１２ａが用いられている点である。その他の点は、太陽電池モジュール１ａと同じである。
【０１００】
太陽電池モジュール３ａの副枠部材１２ａが、太陽電池モジュール１ａの副枠部材１２ｃと異なるのは、副枠部材１２ｃの副保持部４０ｂには、副庇片が備えられていないのに対して、副枠部材１２ａの副保持部４０ａには、副庇片４４が備えられている点である。この副庇片４４は、主枠部材１１ａの主庇片２４と同じ形状をしている。
【０１０１】
上記の太陽電池モジュール３ａによれば、主枠部材１１ａの主保持部２０ａに主庇片２４を備えるのみならず、副枠部材１２ｄの副保持部４０ａに、副庇片４４が備えられている。そのため、この太陽電池モジュール３ａを、緩傾斜の屋根等のような傾斜の緩やかな場所に設置した場合に、太陽電池モジュール３ａの表面を流れる水を、主枠部材１１ａの主保持部２０ａに張設されている主庇片２４のみならず、副枠部材１２ｄの副保持部４０ａに張設されている副庇片４４を伝って、下方へ流れ落ちるようにすることができる。そのほか、太陽電池モジュール３ａは、実施の形態１における太陽電池モジュール１ａと略同様の作用、効果を有している。
【０１０２】
従って、太陽電池パネル９の表面を流れる水が、太陽電池モジュール３ａの表面に滞留するのを防止することができると共に、太陽電池モジュール３ａの発電効率の低下を抑制することができる。
【０１０３】
又、上記の太陽電池モジュール３ａに対しては、下記に述べるほか、上述した実施の形態１における太陽電池モジュール１ａにおいて説明した各種の対処とほぼ同じ対処をすることができる。
【０１０４】
上記の太陽電池モジュール３ａにおける主枠部材１１ａに代えて、図２１、図２２に示すような主枠部材１１ｂを用いた太陽電池モジュール３ｂを構成するようにしてもよい。ここで、図２１は、太陽電池モジュール３ｂの角部分の斜視図、図２２は、太陽電池モジュール３ｂの角部分の分解斜視図である。
【０１０５】
上記の太陽電池モジュール３ｂにおける主枠部材１１ｂが、上記の太陽電池モジュール３ａにおける主枠部材１１ａと異なるのは、主枠部材１１ａの主壁部３０ａが、主外壁３１、及び、主底部片３２で構成されているのに対して、主枠部材１１ｂの主壁部３０ｂが、主外壁３１、主底部片３２、及び、主内壁３３で構成されている点である。その他の点は、主枠部材１１ａと同じである。
【０１０６】
又、上記の太陽電池モジュール３ｂにおける副枠部材１２ａに代えて、図２３、図２４に示すような副枠部材１２ｂを用いた太陽電池モジュール３ｃを構成するようにしてもよい。ここで、図２３は、太陽電池モジュール３ｃの角部分の斜視図、図２４は、太陽電池モジュール３ｃの角部分の分解斜視図である。
【０１０７】
上記の太陽電池モジュール３ｃにおける副枠部材１２ｂが、上記の太陽電池モジュール３ｂにおける副枠部材１２ａと異なるのは、副枠部材１２ａの副壁部５０ａが、副外壁５１、及び、副底部片５２で構成されているのに対して、副枠部材１２ｂの副壁部５０ｂが、副外壁５１、副底部片５２、及び、副内壁５３で構成されている点である。その他の点は、副枠部材１２ａと同じである。
【０１０８】
上記の太陽電池モジュール３ｃにおいて、副枠部材１２ｂに代えて、断面が、図２５に示すような副枠部材１２ｅを用いるようにしてもよい。この副枠部材１２ｅは、副保持部４０ａと副壁部５０ｃとで構成されている。この副枠部材１２ｅには、副壁部５０ｃの副外壁５１に、先端が外側上方向きの鉤片１４が張設されている。
【０１０９】
この鉤片１４を備えた副枠部材１２ｅを用いることにより、複数の太陽電池モジュール３ｃの短辺同士が隣接するようにして設置される場合に、隣接する太陽電池モジュール３ｃの鉤片１４同士の間を、設置用の固定用補助具等を用いて固定することにより、副庇片４４同士間の隙間を形成することができる。
【０１１０】
或いは、上記の鉤片１４を備えた副枠部材１２ｅを用いた場合に、副庇片４４同士間の隙間を形成しないようにしてもよい。
【０１１１】
副庇片４４同士間の隙間に関しては、上述した、図１６〜図２５等に示す太陽電池モジュール（３ａ〜３ｃ）においても、上記と同様に、副庇片４４同士間に、隙間を形成するようにすることも、形成しないようにすることも、共にできる。
【０１１２】
副庇片４４同士間の隙間を形成した場合は、風等により滞留していた雨水が勾配に対して交差する方向に押し流され、塵等を含んだ雨水を、副枠部材１２ｅ側から効果的に排出することができる。
【０１１３】
又、副庇片４４同士の隙間を形成しない場合は、風等により滞留していた雨水が勾配に対して交差する方向に押し流され、塵等を含んだ雨水が勾配に沿って副庇片４４同士で形成された溝形状の部分に流れ込み、副枠部材１２ｅに沿って下方に雨水を効果的に排出することができる。
【０１１４】
又、上記の太陽電池モジュール（３ａ〜３ｃ）では、図１６〜図２５等に示すように、主保持上片２２の側端面と主庇片２４の側端面とを揃えてカットすると共に、副保持上片４２の側端面と副庇片４４の側端面を揃えてカットしているので、太陽電池モジュール（３ａ〜３ｃ）の角部では、主庇片２４の側端部と副庇片４４の側端部とが接していない状態となる。
【０１１５】
この場合、隣接する太陽電池モジュール（３ａ〜３ｃ）には、主庇片２４の側端部と副庇片４４の側端部とで囲まれる矩形状の隙間が形成される。そこで、上述した副庇片４４同士で形成された溝形状の部分に流れ込んだ雨水等が、副枠部材（１２ａ，１２ｂ）に沿って下方に流され、この雨水等を、上記の矩形状の隙間から下方に効果的に排出することができるる。
【０１１６】
又、上記の太陽電池モジュール（３ａ〜３ｃ）において、図示してはいないが、次のようにして、主庇片２４の側端部と副庇片４４の側端部が接合するようにしてもよい。即ち、主庇片２４を該主庇片２４の側端部から、副保持壁４１の側端面の上部が主庇片２４で覆われるように延長すると共に、主庇片２４の側端部、及び副庇片４４の側端部を共に、斜め下方に張出して延長して、主庇片２４の側端部と副庇片４４の側端部とを接合するのである。
【０１１７】
このようにすることにより、上記の太陽電池モジュール（３ａ〜３ｃ）の角部に、凹部が形成されないようにすることができ、太陽電池モジュール（３ａ〜３ｃ）の運搬等の際に、太陽電池モジュール（３ａ〜３ｃ）が何かに引っかかりやすくなるのを防止することができる。
【０１１８】
又、接合した部分の先端を丸くなるように切除することにより、隣接して設置されている太陽電池モジュール（３ａ〜３ｃ）の上記の接合した部分の先端との間に、隙間を形成することができる。この隙間を、上記の矩形状の隙間と同様にして使用することができ、雨水等をこの隙間から下方に効果的に排出することができるる。
【０１１９】
＜実施の形態４＞
実施の形態４における太陽電池モジュール４ａは、上述した実施の形態１における太陽電池モジュール１ａを一部変更したものである。図２６は、実施の形態３における太陽電池モジュール３ａの平面図、図２７は正面図、図２８は右側面図、図２９は角部分の斜視図、そして、図３０は角部分の分解斜視図である。尚、図２９では、太陽電池パネル９が省略されている。又、図２９、及び、図３０では、太陽電池モジュール４ａが、水平面６に対して、傾斜角度７で傾斜していることを表している。
【０１２０】
即ち、実施の形態４における太陽電池モジュール４ａは、上記の傾斜角度７が、水の流れが表面張力で止まるような角度、具体的には、表面状態により差はあるが、０度〜４５度、望ましくは、０度〜３０度で傾斜した状態の屋根等の場所に、これらの屋根の傾斜に沿って、１対の主枠部材１１ａ，１１ａの一方が下方に位置するようにして設置される。
【０１２１】
実施の形態４における太陽電池モジュール４ａが、実施の形態１における太陽電池モジュール１ａと異なるのは、実施の形態１における太陽電池モジュール１ａでは、１対の主枠部材１１ａ，１１ａのほか、１対の副枠部材１２ｃ，１２ｃを用いているのに対して、実施の形態４における太陽電池モジュール４ａでは、１対の主枠部材１１ａ，１１ａと、この１対の主枠部材１１ａ，１１ａに付属する主枠側板６１のみで、副枠部材１２ｃを用いていない点である。その他の点は、実施の形態１における太陽電池モジュール１ａと同じである。
【０１２２】
太陽電池モジュール４ａでは、上述したように、副枠部材１２ｃを用いないので、主枠部材１１ａ，１１ａのみで太陽電池パネル９を保持する構造である。又、太陽電池モジュール４ａでは、主枠部材１１ａの主保持部２０ａの側端面、及び、この主保持部２０ａに嵌入された太陽電池パネル９の端縁部の側端面を覆う主枠側板６１を、上記の主枠部材１１ａに備えている。
【０１２３】
この主枠側板６１は、太陽電池パネル９が主枠部材１１ａから外れないようにするためのものである。又、太陽電池モジュール４ａは、接着剤を用いて主枠部材１１ａ，１１ａに固定される。
【０１２４】
上記の太陽電池モジュール４ａによれば、主枠部材１１ａ，１１ａのみで太陽電池パネル９を保持する太陽電池モジュール４ａを構成することができ、この太陽電池モジュール４ａの製作コストの増加を抑制することができる。
【０１２５】
従って、太陽電池パネル９の表面を流れる水が、太陽電池モジュール４ａの表面に滞留するのを防止することが可能な太陽電池モジュール４ａを、製作コストの抑制を図りながら製作することができる。そのほか、太陽電池モジュール４ａは、実施の形態１における太陽電池モジュール１ａと略同様の作用、効果を有している。
【０１２６】
又、上記の太陽電池モジュール４ａに対しては、下記に述べるほか、上述した実施の形態１における太陽電池モジュール１ａにおいて説明した各種の対処とほぼ同じ対処をすることができる。
【０１２７】
上記の太陽電池モジュール４ａにおける主枠部材１１ａに代えて、図３１、図３２に示すような主枠部材１１ｂを用いた太陽電池モジュール４ｂを構成するようにしてもよい。ここで、図３１は、太陽電池モジュール４ｂの角部分の斜視図、図３２は、太陽電池モジュール４ｂの角部分の分解斜視図である。
【０１２８】
上記の太陽電池モジュール４ｂにおける主枠部材１１ｂが、上記の太陽電池モジュール４ａにおける主枠部材１１ａと異なるのは、主枠部材１１ａの主壁部３０ａが、主外壁３１、及び、主底部片３２で構成されているのに対して、主枠部材１１ｂの主壁部３０ｂが、主外壁３１、主底部片３２、及び、主内壁３３で構成されている点である。その他の点は、主枠部材１１ａと同じである。
【０１２９】
＜実施の形態５＞
実施の形態５における太陽電池モジュール５ａは、上述した実施の形態４における太陽電池モジュール４ａを一部変更したものである。図３３は、実施の形態２における太陽電池モジュール２ａの平面図、図３４は正面図、そして、図３５は右側面図である。
【０１３０】
実施の形態５における太陽電池モジュール５ａが、実施の形態４における太陽電池モジュール４ａと異なるのは、実施の形態４における太陽電池モジュール４ａでは、主庇片２４が、１対の主枠部材１１ａ，１１ａの双方の主保持部２０ａに備えられているのに対して、実施の形態５における太陽電池モジュール５ａでは、主庇片２４が、１対の主枠部材１１ａ，１１ｅの内、一方である主枠部材１１ａの主保持部２０ａのみに備えられている点である。その他の点は、実施の形態４における太陽電池モジュール４ａと同じである。
【０１３１】
従って、太陽電池モジュール５ａは、実施の形態４における太陽電池モジュール４ａと略同様の作用、効果を有している。又、上記の太陽電池モジュール５ａに対しては、上記の太陽電池モジュール４ａにおけるのと略同様の対処をすることができる。
【０１３２】
又、上記の各実施の形態において、主枠部材の構成と副枠部材の構成とを逆にして構成した太陽電池モジュールを、形成することができる。
【０１３３】
上述した各実施の形態における太陽電池モジュールにおいて、主枠部材（１１ａ〜１１ｄ）の主保持部（２０ａ，２０ｂ）を、この主保持部（２０ａ，２０ｂ）に代えて、以下に述べる主保持部２０ｃ、主保持部２０ｄ、主保持部２０ｅ、主保持部２０ｆ、主保持部２０ｇ、或いは、主保持部２０ｈのいずれか１つを用いるようにしてもよい。
【０１３４】
上記の内、主保持部２０ｃ、主保持部２０ｄ、及び、主保持部２０ｅは、主庇片を備えた主保持部であり、主保持部２０ｆ、主保持部２０ｇ、及び、主保持部２０ｈは、主庇片を用いない主保持部である。
【０１３５】
尚、これらの説明図である以下に示す図３６〜図４１では、主枠部材を構成する主壁部として、便宜上、主壁部３０ａを用いているが、上述した各実施の形態の太陽電池モジュールにおける他の主壁部を用いることもできる。
【０１３６】
図３６は、上記の主保持部２０ｃの構成を示した説明図である。主保持部２０ｃは、主保持壁２１の上端から外側下方に向かって、外側に湾曲するようにして張設された主庇片２４ａを有している。
【０１３７】
この主保持部２０ｃでは、主庇片２４ａの上面と主保持上片２２の上面とが連通するようにして形成されており、主庇片２４ａと主保持上片２２との間に角ばったエッジがないので、主保持上片２２の上面における表面張力による水の滞留を、発生しにくくすることができる。
【０１３８】
図３７は、上記の主保持部２０ｄの構成を示した説明図である。この主保持部２０ｄは、主庇片２４ｂを備えている。この主庇片２４ｂは、主保持壁２１の上端から主保持上片２２を外側へ延長すると共に先端を外側下方に向かって傾斜させたような形状をしている。
【０１３９】
この主保持部２０ｄでは、先端が傾斜により下方へ下がる距離を短くすることができるので、段差が小さくなり、積雪時における太陽電池パネル９の受光面である表面への雪だまりを低減することができる。
【０１４０】
図３８は、上記の主保持部２０ｅの構成を示した説明図である。この主保持部２０ｅでは、外側下方に向かって傾斜している主庇片２４が張設されている主保持壁２１の上端の端縁が、主庇片２４と同じように傾斜しており、この傾斜面が、主保持壁２１の上端の端縁から主庇片２４にかけて、連続して連なっている。
【０１４１】
この主保持部２０ｅでは、先端が傾斜により下方へ下がる距離を長くすることができるので、段差が大きくなり、太陽電池モジュールを屋根に設置した場合に、棟側の太陽電池モジュールからの粉塵を含んだ雨水等を、軒側の太陽電池モジュールに伝播させることなく、下方へ効果的に排出することができる。
【０１４２】
図３９は、上記の主保持部２０ｆの構成を示した説明図である。主保持部２０ｆでは、上述したように、主庇片を用いておらず、主保持壁２１の上端の端縁が、外側下方に向かって傾斜している。そのため、主庇片を用いたのと同様の作用、効果を奏することができる。
【０１４３】
図４０は、上記の主保持部２０ｇの構成を示した説明図である。主保持部２０ｇでは、主保持部２０ｆと同様、主庇片を用いておらず、主保持壁２１の上端の端縁が、外側下方に向かって外側に膨らむように湾曲している。そのため、主庇片を用いたのと同様の作用、効果を奏することができる。
【０１４４】
又、この主保持部２０ｇでは、上片先端面２２ａが、直線的な傾斜に代えて、内側下方に向かって内側に膨らむように湾曲している。この上片先端面２２ａの湾曲は、主保持壁２１の上端の端縁の湾曲に連続して連なっている。
【０１４５】
図４１は、上記の主保持部２０ｈの構成を示した説明図である。主保持部２０ｈでは、主保持部２０ｆと同様、主庇片を用いておらず、主保持壁２１の上端の端縁が、外側下方に向かって傾斜している。そのため、主庇片を用いたのと同様の作用、効果を奏することができる。
【０１４６】
この主保持部２０ｈが主保持部２０ｆと異なる点は、主保持部２０ｆでは主保持壁２１の上端の端縁の傾斜と上片先端面２２ａとの間に平らな面が存在しているのに対して、主保持部２０ｈでは、この平らな面が存在していないことである。
【０１４７】
上述した主枠部材（１１ａ〜１１ｄ）の主保持部（２０ａ，２０ｂ）に対する変形例は、同様にして、上述した各実施の形態における太陽電池モジュールにおける副枠部材（１２ａ〜１２ｅ）に対しても、適用することができる。
【０１４８】
又、上述した各実施の形態において、太陽電池パネル９の短辺と長辺に対して、主枠部材の構成と副枠部材の構成とを逆にして構成した太陽電池モジュールを形成することが可能であり、又、各辺が同じ長さで、短辺と長辺の区別がつかない太陽電池モジュールに対しても、上述した全ての説明が適用可能であることは、いうまでもない。
【図面の簡単な説明】
【０１４９】
【図１】実施の形態１における太陽電池モジュールの平面図である。
【図２】実施の形態１における太陽電池モジュールの正面図である。
【図３】実施の形態１における太陽電池モジュールの右側面図である。
【図４】実施の形態１における太陽電池モジュールの角部分の斜視図である。
【図５】実施の形態１における太陽電池モジュールの角部分の分解斜視図である。
【図６】実施の形態１における太陽電池モジュールの設置の状態を示した説明図である。
【図７】実施の形態１における太陽電池モジュールの主枠部材の他の例を示した断面図である。
【図８】実施の形態１における太陽電池モジュールの他の例の角部分の斜視図（その１）である。
【図９】実施の形態１における太陽電池モジュールの他の例の角部分の分解斜視図（その１）である。
【図１０】実施の形態１における太陽電池モジュールの他の例の角部分の斜視図（その２）である。
【図１１】実施の形態１における太陽電池モジュールの他の例の角部分の分解斜視図（その２）である。
【図１２】実施の形態２における太陽電池モジュールの平面図である。
【図１３】実施の形態２における太陽電池モジュールの正面図である。
【図１４】実施の形態２における太陽電池モジュールの右側面図である。
【図１５】実施の形態２における太陽電池モジュールの設置の状態を示した説明図である。
【図１６】実施の形態３における太陽電池モジュールの平面図である。
【図１７】実施の形態３における太陽電池モジュールの正面図である。
【図１８】実施の形態３における太陽電池モジュールの右側面図である。
【図１９】実施の形態３における太陽電池モジュールの角部分の斜視図である。
【図２０】実施の形態３における太陽電池モジュールの角部分の分解斜視図である。
【図２１】実施の形態３における太陽電池モジュールの他の例の角部分の斜視図（その１）である。
【図２２】実施の形態３における太陽電池モジュールの他の例の角部分の分解斜視図（その１）である。
【図２３】実施の形態３における太陽電池モジュールの他の例の角部分の斜視図（その２）である。
【図２４】実施の形態３における太陽電池モジュールの他の例の角部分の分解斜視図（その２）である。
【図２５】実施の形態３における太陽電池モジュールの副枠部材の他の例を示した断面図である。
【図２６】実施の形態４における太陽電池モジュールの平面図である。
【図２７】実施の形態４における太陽電池モジュールの正面図である。
【図２８】実施の形態４における太陽電池モジュールの右側面図である。
【図２９】実施の形態４における太陽電池モジュールの角部分の斜視図である。
【図３０】実施の形態４における太陽電池モジュールの角部分の分解斜視図である。
【図３１】実施の形態４における太陽電池モジュールの他の例の角部分の斜視図である。
【図３２】実施の形態４における太陽電池モジュールの他の例の角部分の分解斜視図である。
【図３３】実施の形態５における太陽電池モジュールの平面図である。
【図３４】実施の形態５における太陽電池モジュールの正面図である。
【図３５】実施の形態５における太陽電池モジュールの右側面図である。
【図３６】各実施の形態における主保持部の他の構成例を示した説明図（その１）である。
【図３７】各実施の形態における主保持部の他の構成例を示した説明図（その２）である。
【図３８】各実施の形態における主保持部の他の構成例を示した説明図（その３）である。
【図３９】各実施の形態における主保持部の他の構成例を示した説明図（その４）である。
【図４０】各実施の形態における主保持部の他の構成例を示した説明図（その５）である。
【図４１】各実施の形態における主保持部の他の構成例を示した説明図（その６）である。
【符号の説明】
【０１５０】
１ａ  太陽電池モジュール
１ｂ  太陽電池モジュール
１ｃ  太陽電池モジュール
２ａ  太陽電池モジュール
３ａ  太陽電池モジュール
３ｂ  太陽電池モジュール
３ｃ  太陽電池モジュール
４ａ  太陽電池モジュール
４ｂ  太陽電池モジュール
５ａ  太陽電池モジュール
６  水平面
７  傾斜角度
８  設置面
９  太陽電池パネル
１１ａ  主枠部材
１１ｂ  主枠部材
１１ｃ  主枠部材
１１ｄ  主枠部材
１２ａ  副枠部材
１２ｂ  副枠部材
１２ｃ  副枠部材
１２ｄ  副枠部材
１２ｅ  副枠部材
１３  当接壁
１４  鉤片
２０ａ  主保持部
２０ｂ  主保持部
２０ｃ  主保持部
２０ｄ  主保持部
２０ｅ  主保持部
２０ｆ  主保持部
２０ｇ  主保持部
２０ｈ  主保持部
２１  主保持壁
２２  主保持上片
２２ａ  上片先端面
２３  主保持下片
２３ａ  螺子係止片
２４  主庇片
２４ａ  主庇片
２４ｂ  主庇片
３０ａ  主壁部
３０ｂ  主壁部
３０ｃ  主壁部
３１  主外壁
３２  主底部片
３２ａ  螺子係止片
３３  主内壁
４０ａ  副保持部
４０ｂ  副保持部
４１  副保持壁
４２  副保持上片
４２ａ  上片先端面
４３  副保持下片
４４  副庇片
５０ａ  副壁部
５０ｂ  副壁部
５０ｃ  副壁部
５１  副外壁
５２  副底部片
５３  副内壁
５４  螺子孔
６１  主枠側板
【図１】
2009164434.tif 000003
【図２】
2009164434.tif 000004
【図３】
2009164434.tif 000005
【図４】
2009164434.tif 000006
【図５】
2009164434.tif 000007
【図６】
2009164434.tif 000008
【図７】
2009164434.tif 000009
【図８】
2009164434.tif 000010
【図９】
2009164434.tif 000011
【図１０】
2009164434.tif 000012
【図１１】
2009164434.tif 000013
【図１２】
2009164434.tif 000014
【図１３】
2009164434.tif 000015
【図１４】
2009164434.tif 000016
【図１５】
2009164434.tif 000017
【図１６】
2009164434.tif 000018
【図１７】
2009164434.tif 000019
【図１８】
2009164434.tif 000020
【図１９】
2009164434.tif 000021
【図２０】
2009164434.tif 000022
【図２１】
2009164434.tif 000023
【図２２】
2009164434.tif 000024
【図２３】
2009164434.tif 000025
【図２４】
2009164434.tif 000026
【図２５】
2009164434.tif 000027
【図２６】
2009164434.tif 000028
【図２７】
2009164434.tif 000029
【図２８】
2009164434.tif 000030
【図２９】
2009164434.tif 000031
【図３０】
2009164434.tif 000032
【図３１】
2009164434.tif 000033
【図３２】
2009164434.tif 000034
【図３３】
2009164434.tif 000035
【図３４】
2009164434.tif 000036
【図３５】
2009164434.tif 000037
【図３６】
2009164434.tif 000038
【図３７】
2009164434.tif 000039
【図３８】
2009164434.tif 000040
【図３９】
2009164434.tif 000041
【図４０】
2009164434.tif 000042
【図４１】
2009164434.tif 000043
【手続補正書】
【提出日】平成21年3月30日(2009.3.30)
【手続補正１】
【補正対象書類名】特許請求の範囲
【補正対象項目名】請求項１
【補正方法】変更
【補正の内容】
【請求項１】
太陽電池パネルの相対向する一対の主辺を保持する一対の主枠部材を少なくとも備えると共に、前記主枠部材の一方が下方に位置するようにして傾斜させて設置される太陽電池モジュールであって、
前記主枠部材は、前記太陽電池パネルの主辺に沿って形成された主保持壁、該主保持壁の上端及び下端から内側に向かって張設され、相互間に前記太陽電池パネルの主辺の端縁部を嵌入して保持する主保持上片、及び、主保持下片で構成される主保持部と、該主保持部の下に下方に向かって連設された主壁部と、を備えており、
少なくとも、下方に位置する前記一方の主枠部材に、前記主保持部の主保持壁の上端から外側下方に傾斜するようにして張設され、上面が前記主保持上片の上面と連通している主庇片を備えていると共に、
前記主庇片の上面と前記主保持上片の上面とのなす角度は、前記主庇片が無い場合に前記主保持上片上で水の流れが表面張力で止まるような状態のときに、前記主庇片上で表面張力より重力が勝るような角度となるように形成されていることを特徴とする太陽電池モジュール。
【手続補正２】
【補正対象書類名】特許請求の範囲
【補正対象項目名】請求項４
【補正方法】変更
【補正の内容】
【請求項４】
太陽電池パネルの相対向する一対の主辺を保持する一対の主枠部材を少なくとも備えると共に、前記主枠部材の一方が下方に位置するようにして傾斜させて設置される太陽電池モジュールであって、
前記主枠部材は、前記太陽電池パネルの主辺に沿って形成された主保持壁、該主保持壁の上端及び下端から内側に向かって張設され、相互間に前記太陽電池パネルの主辺の端縁部を嵌入して保持する主保持上片、及び、主保持下片で構成される主保持部と、該主保持部の下に下方に向かって連設された主壁部と、を備えており、
少なくとも、下方に位置する前記一方の主枠部材における主保持上片の基端の上面は、外側下方に向かって傾斜していると共に、
前記主保持上片の中央部の上面と前記基端の上面とのなす角度は、前記基端の上面が傾斜していない場合に前記主保持上片の上面上で水の流れが表面張力で止まるような状態のときに、前記基端の上面上で表面張力より重力が勝るような角度となるように形成されていることを特徴とする太陽電池モジュール。
【手続補正３】
【補正対象書類名】特許請求の範囲
【補正対象項目名】請求項９
【補正方法】変更
【補正の内容】
【請求項９】
請求項１〜７のいずれか１項に記載の太陽電池モジュールであって、
前記太陽電池パネルの主辺と隣接する一対の隣接辺を保持する一対の副枠部材を備えており、
前記副枠部材は、前記太陽電池パネルの前記隣接辺に沿って形成された副保持壁、該副保持壁の上端及び下端から内側に向かって張設され、相互間に前記太陽電池パネルの前記隣接辺の端縁部を嵌入して保持する副保持上片、及び、副保持下片で構成される副保持部と、該副保持部の下に下方に向かって連設された副壁部と、を備えており、
少なくとも、一方の前記副枠部材に、前記副保持部の副保持壁の上端から外側下方に傾斜するようにして張設され、上面が前記副保持上片の上面と連通している副庇片を備えていると共に、
前記副庇片の上面と前記副保持上片の上面とのなす角度は、前記副庇片が無い場合に前記副保持上片上で水の流れが表面張力で止まるような状態のときに、前記副庇片上で表面張力より重力が勝るような角度となるように形成されていることを特徴とする太陽電池モジュール。
【手続補正４】
【補正対象書類名】特許請求の範囲
【補正対象項目名】請求項１２
【補正方法】変更
【補正の内容】
【請求項１２】
請求項１〜７のいずれか１項に記載の太陽電池モジュールであって、
前記太陽電池パネルの主辺と隣接する一対の隣接辺を保持する一対の副枠部材を備えており、
前記副枠部材は、前記太陽電池パネルの前記隣接辺に沿って形成された副保持壁、該副保持壁の上端及び下端から内側に向かって張設され、相互間に前記太陽電池パネルの前記隣接辺の端縁部を嵌入して保持する副保持上片、及び、副保持下片で構成される副保持部と、該副保持部の下に下方に向かって連設された副壁部と、を備えており、
少なくとも、一方の副枠部材における副保持上片の基端の上面は、外側下方に向かって傾斜していると共に、
前記副保持上片の中央部の上面と前記基端の上面とのなす角度は、前記基端の上面が傾斜していない場合に前記副保持上片の上面上で水の流れが表面張力で止まるような状態のときに、前記基端の上面上で表面張力より重力が勝るような角度となるように形成されていることを特徴とする太陽電池モジュール。
【手続補正５】
【補正対象書類名】明細書
【補正対象項目名】００１２
【補正方法】変更
【補正の内容】
【００１２】
この太陽電池モジュールは、主庇片を備えていることを特徴としている。この主庇片は、少なくとも、下方に位置する上記の一方の主枠部材に、主保持部の主保持壁の上端から外側下方に傾斜するようにして張設されると共に、上面が主保持上片の上面と連通している。また、この主庇片は、該主庇片の上面と主保持上片の上面とのなす角度が、主庇片が無い場合に主保持上片上で水の流れが表面張力で止まるような状態のときに、主庇片上で表面張力より重力が勝るような角度となるように形成されている。
【手続補正６】
【補正対象書類名】明細書
【補正対象項目名】００２１
【補正方法】変更
【補正の内容】
【００２１】
この太陽電池モジュールは、少なくとも、下方に位置する一方の主枠部材における主保持上片の基端の上面が、上述したように、外側下方に向かって傾斜していることを特徴としている。この主保持上片は、該主保持上片の中央部の上面と基端の上面とのなす角度が、基端の上面が傾斜していない場合に主保持上片の上面上で水の流れが表面張力で止まるような状態のときに、基端の上面上で表面張力より重力が勝るような角度となるように形成されている。
【手続補正７】
【補正対象書類名】明細書
【補正対象項目名】００３５
【補正方法】変更
【補正の内容】
【００３５】
この太陽電池モジュールは、副庇片を備えていることを特徴としている。この副庇片は、少なくとも、一方の副枠部材に、副保持部の副保持壁の上端から外側下方に傾斜するようにして張設されると共に、上面が副保持上片の上面と連通している。また、この副庇片は、該副庇片の上面と副保持上片の上面とのなす角度が、副庇片が無い場合に副保持上片上で水の流れが表面張力で止まるような状態のときに、副庇片上で表面張力より重力が勝るような角度となるように形成されている。
【手続補正８】
【補正対象書類名】明細書
【補正対象項目名】００４４
【補正方法】変更
【補正の内容】
【００４４】
この太陽電池モジュールは、少なくとも、下方に位置する一方の副枠部材における副保持上片の基端の上面が、上述したように、外側下方に向かって傾斜していることを特徴としている。この副保持上片は、該副保持上片の中央部の上面と基端の上面とのなす角度が、基端の上面が傾斜していない場合に副保持上片の上面上で水の流れが表面張力で止まるような状態のときに、基端の上面上で表面張力より重力が勝るような角度となるように形成されている。
【手続補正９】
【補正対象書類名】明細書
【補正対象項目名】００６５
【補正方法】変更
【補正の内容】
【００６５】
この実施の形態１における太陽電池モジュール１ａは、次のような構造をしている。図１〜図５において、太陽電池パネル９は、長辺（前述の主辺に相当）と短辺（前述の主辺の隣接辺に相当）とを備えた矩形状であり、この太陽電池パネル９の長辺を保持する１対の主枠部材１１ａ，１１ａと、この長辺と隣接する隣接辺である短辺を保持する１対の副枠部材１２ｃ，１２ｃとを用いて、太陽電池パネル９を内側に囲むように保持している。
【手続補正１０】
【補正対象書類名】明細書
【補正対象項目名】００７４
【補正方法】変更
【補正の内容】
【００７４】
副壁部５０ａは、副外壁５１と副底部片５２とで構成されている。又、副枠部材１２ｃには、図５に示すように、その両端に、副保持壁４１と副外壁５１とでなる当接壁１３が形成されると共に、副底部片５２の両端は、切除されて切欠部が形成されている。
【手続補正１１】
【補正対象書類名】明細書
【補正対象項目名】００７５
【補正方法】変更
【補正の内容】
【００７５】
上記の太陽電池モジュール１ａは、図５に示すように、主枠部材１１ａの側端面を、副枠部材１２ｃの当接壁１３に当接させると共に、主枠部材１１ａの主底部片３２を、副底部片５２の切欠部に嵌め込んで、当接壁１３の螺子孔５４，５４と、螺子係止片２３ａ、及び、螺子係止片３２ａとを、螺子を用いて結合することにより、形成されている。
【手続補正１２】
【補正対象書類名】明細書
【補正対象項目名】００８９
【補正方法】変更
【補正の内容】
【００８９】
上記の太陽電池モジュール１ｃにおける副枠部材１２ｄが、上記の太陽電池モジュール１ｂにおける副枠部材１２ｃと異なるのは、副枠部材１２ｃの副壁部５０ａが、副外壁５１、及び、副底部片５２で構成されているのに対して、副枠部材１２ｄの副壁部５０ｂは、副外壁５１、副底部片５２、及び、副内壁５３で構成されている点である。その他の点は、副枠部材１２ｃと同じである。
【手続補正１３】
【補正対象書類名】明細書
【補正対象項目名】０１３０
【補正方法】変更
【補正の内容】
【０１３０】
実施の形態５における太陽電池モジュール５ａが、実施の形態４における太陽電池モジュール４ａと異なるのは、実施の形態４における太陽電池モジュール４ａでは、主庇片２４が、１対の主枠部材１１ａ，１１ａの双方の主保持部２０ａに備えられているのに対して、実施の形態５における太陽電池モジュール５ａでは、主庇片２４が、１対の主枠部材１１ａ，１１ｃの内、一方である主枠部材１１ａの主保持部２０ａのみに備えられている点である。その他の点は、実施の形態４における太陽電池モジュール４ａと同じである。